Podtech/llm-jp-corpus-v4-ja_patent huggingface dataset:
(57)【要約】      （修正有）【課題】トイレット、ペーパーを使用する場合、ペーパーの未端が巻紙と接着し、取りづらく、又探す苦労。これら不都合の解消等。【解決手段】フタ１、を持ち上げると、分離ローラー４、がペーパー６を分離し持ち上げる。よって、簡単にペーパーを取ることができる。【選択図】図２
0003113772.tif 000002
【実用新案登録請求の範囲】
【請求項１】
トイレット、ペーパーを使用のさい、巻紙の先端が接着して取りづらく、これを分離し取り安くするため、紙巻器の、フタの内側に分離のローラーを設置した器具。
【請求項２】
紙巻器のフタの内側に分離用のローラーを取付けた、事を特徴とした、分離ローラー付き紙巻器。
【考案の詳細な説明】
【技術分野】
【０００１】  本考案は、トイレット、ペーパーに関するものであり、紙巻器の、フタの内側に分離ローラーを設置し、ワンタッチで、ペーパーを取ることができる、器具である。
【背景技術】
【０００２】  従来の、トイレット用紙巻器には、分離用のローラーは存在せず。使用のさい、その先端を探し、取るが困難である。
【考案の開示】
【考案が解決しょうとする課題】
【０００３】  しかし、トイレット用紙巻器を使用する場合高齢者や、眼や手の不自由な者には、ペーパーの先端を探して取ることは、大変な苦労であり、大変不便である。
【課題を解決するための手段】
【０００４】  そこで、トイレット用紙巻器を使用する場合（図２参照）フタ１、を上にあげると、分離用ローラー４、がペーパー６からその先端部を、分離して、持ち上げる。
【考案の効果】
【０００５】  よって、本考案の分離ローラーにより、トイレット、ペーパーを巻紙から分離するので、簡単に取ることができる。眼や手の不自由な者や高齢者には大変便利で、ペーパーの未端を探す必要がない。
【考案を実施するための最良の形態】
【０００６】  本考案に係わる、図２に示すように従来の紙巻器に、１フタ、の裏側に、２固定軸受を設置し３ローラー軸の先端を差込み、４分離ローラーを設置したものである。
素材は分離ローラーの軸は金属
固定軸受と分離ローラーは、プラスチック．
【図面の簡単な説明】
【０００７】
【図１】  本考案の側面図である
【図２】  本考案の使用図である
【図３】  本考案の正面図である
【符号の説明】
【０００８】  １  フタ
２  固定軸受
３  ローラー軸
４  分離ローラー
５  ペーパー軸受
６  ペーパー
【図１】
0003113772.tif 000003
【図２】
0003113772.tif 000004
【図３】
0003113772.tif 000005
(57)【要約】【課題】  そこで、この考案の課題は、植物の水耕栽培において、特殊な植え込み材料を開発し、さらに、鉢植えの植え込み材にも使用できる水耕栽培用における植え込み材を開発・提供するものである。【解決手段】  この考案を実施するに当たっては、水耕栽培における植え込み材において、植え込み材本体（１）を、それぞれ異なった土を素材とし、円形状の植え込み部材（Ａ）あるいは、非円形状の植え込み部材（Ｂ）に形成すると共に、それぞれの該素材を適宜な厚み（Ｈ）に同一にし、焼成したことを特徴とする水耕栽培における植え込み材である。【選択図】      図１
0003113778.tif 000002
【実用新案登録請求の範囲】
【請求項１】
水耕栽培における植え込み材であって、植え込み材本体を、それぞれ異なった土を素材として用い、各素材の厚みを、適宜な厚み（Ｈ）に同一にし、植え込み材本体を、円形状の植え込み材（１）あるいは、非円形状の植え込み材（２）に形成すると共に、これらを焼成したことを特徴とする水耕栽培における植え込み材。
【請求項２】
非円形状の植え込み材（２）が、動物の形状、植物の形状であったり、また、ハート形、星形、三角形、三日月形、涙形、楕円形から選ばれた形状であることを特徴とする請求項１記載の水耕栽培における植え込み材。
【考案の詳細な説明】
【技術分野】
【０００１】
この考案は、水耕栽培用における植え込み材に関する。
【背景技術】
【０００２】
従来、植物における水耕栽培は、土を用いないで、水だけで栽培する方法であり、大変、衛生的な栽培方法であることが知られている。
【０００３】
また、一方、鉢植えの植物の木或いは茎と鉢周囲との間に露出する土の部分には、それぞれ色彩の異なったガラス、ガラスビーズや、ボール形の素材を多数敷きつめて体裁よく設けている。
【０００４】
さらに、装飾材は、木の樹皮を加工したものや、パイン材をチップ状にして、これらのチップに着色されたものや、化粧砂利と呼ばれる国内産や外国から輸入された砂利が使用されている。
【０００５】
しかし、これらの素材は、植物であったり、ガラス材であり、保水や余計な虫の発生が生ずるものであり、衛生的ではなかった。例えば、非特許文献１のように。
【非特許文献１】カタログ〔プリュナチュレ２００５ニュープロダクツ〕（ａｌｔｓ  ｃｏ．，ｌｔｄ製）
【考案の開示】
【考案が解決しようとする課題】
【０００６】
そこで、この考案の課題は、植物の水耕栽培において、特殊な植え込み材料を開発し、さらに、鉢植えの植え込み材にも使用できる水耕栽培用における植え込み材を開発・提供するものである。
【課題を解決するための手段】
【０００７】
上記の問題点を解決するために、この考案者は、異なった土を用いて、異なった形状の植え込み材料を設け、これらを焼成して素焼きとすることにより、衛生的であり、かつ、美的な水耕栽培やその他の植物栽培の植え込み材とするものである。
【考案の効果】
【０００８】
この考案によると、異なった土を使用するため、焼成後、異なった色彩の植え込み素材が製造でき、カラフルであり、また、素焼きとしているため、保水性がよく、遠赤外線の放射物体であり、栽培する植物の育成にもよく、さらに、各植え込み素材の厚みを同一にしているため、見た目に体裁がよい等の極めて有益なる効果を奏する。
【考案を実施するための最良の形態】
【０００９】
この考案を実施するに当たっては、水耕栽培における植え込み材において、植え込み材本体（１）を、それぞれ異なった土を素材とし、円形状の植え込み材（Ａ）あるいは、非円形状の植え込み材（Ｂ）に形成すると共に、該素材をそれぞれ適宜な厚み（Ｈ）に同一にし、焼成したことを特徴とする水耕栽培における植え込み材である。
【００１０】
さらに、非円形状の植え込み材（Ｂ）の具体的形状が、動物の形状（図示しない）・植物の形状（図示しない）であったり、あるいは、図２に示すように、ハート形、星形、三角形、三日月形、涙形、楕円形から選ばれた形状である。しかし、これらの形状に限定されるものではない。
【産業上の利用可能性】
【００１１】
この考案による水耕栽培における植え込み材の製造技術を確立し、それに基づいて製造・販売することにより、産業上の利用可能性があるものである。
【図面の簡単な説明】
【００１２】
【図１】この考案の一実施例を示す斜視図である。
【図２】この考案の他の実施例を示し、（ａ）（ｂ）（ｃ）（ｄ）（ｅ）（ｆ）（ｇ）は、それぞれ平面図である。
【符号の説明】
【００１３】
１  植え込み材本体
Ａ  円形状の植え込み材
Ｂ  非円形状の植え込み材
【図１】
0003113778.tif 000003
【図２】
0003113778.tif 000004
【手続補正書】
【提出日】平成17年7月4日(2005.7.4)
【手続補正１】
【補正対象書類名】実用新案登録請求の範囲
【補正対象項目名】全文
【補正方法】変更
【補正の内容】
【実用新案登録請求の範囲】
【請求項１】
水耕栽培における植え込み材として用いる素材であって、異なった土を、それぞれ素材として用い、各異なった土の素材の厚みを、適宜な同一の厚み（Ｈ）としておき、この同一の厚みの土から、円形状素材（１）あるいは、非円形状素材（２）に形成すると共に、これらを焼成した焼成素材であることを特徴とする水耕栽培における植え込み材。
【請求項２】
非円形素材（２）が、動物の形状、植物の形状であったり、また、ハート形、星形、三角形、三日月形、涙形、楕円形から選ばれた形状であることを特徴とする請求項１記載の水耕栽培における植え込み材。
(57)【要約】      （修正有）【課題】本考案はゲームと言う媒体を使い楽しく学習をするものである。【解決手段】学習の仕方は、ビンゴゲームのようなものであり、取り出したカードと同じ文章、単語、絵、等が記載されたマスを点線に沿って小枠をあけ、ゲームが終了した時に全ての小枠をプレートから切り離す。切り離した小枠に空いている小穴にリングを通し、単語帳として活用する。【選択図】図１
0003113770.tif 000002
【実用新案登録請求の範囲】
【請求項１】
学習の仕方は、ビンゴゲームのようなものであるが、本体は中身が見えない箱を使い、箱の中から文章、単語、絵、等の書かれたカードを取り出す。取り出したカードと同じ文章、単語、絵、等が記載されたマスを点線に沿って小枠をあけ、ゲームが終了した時に全ての小枠をプレートから切り離す。切り離した小枠に空いている小穴にリングを通し、単語帳として活用出来る学習用ゲーム。
【考案の詳細な説明】
【技術分野】
【０００１】
本考案は学習に関する。
【背景技術】
【０００２】
従来は詰め込み式学習であった。
【考案の開示】
【考案が解決しようとする課題】
【０００３】
詰め込み式学習は勉強をする意欲を失わせる一面も持ち合わせているので、ゲームと言う媒体を使い楽しく学習をするものであり、前述の欠点を解決しようとするものである。
【課題を解決するための手段】
【０００４】
本考案はビンゴゲームのような物であるが、本体は中身が見えない箱を使い、箱の中から文章、単語、絵、等の書かれたカードを取り出す。取り出したカードと同用の文章、単語、絵、等が記載されたマスを点線に沿って穴をあける学習用ゲームであり、従来の詰め込み式学習は勉強する意欲を失わせる一面を持っていたが、このゲームを用いることによりその問題点を解決している。
【考案の効果】
【０００５】
これを活用することにより、異国語の勉強をするだけでなく、辞書等で調べる能力を高めることも出来る。かつ、繰り返し勉強することを癖にすることも出来るうえに楽しい勉強が出来る。さらに、人と人とのコミュニケーションをとる能力が上がることにもつながる。
【考案を実施するための最良の形態】
【０００６】
ゲームをするにあたって「進行役」と「プレーヤー」に分かれてゲームを行う。
進行役は中が見えない箱から、一枚ずつカードを取り出す。取り出したカードに記載された「文章」「単語」「絵」等を進行役はプレーヤー達にカードに記載された内容を「口頭」
「板書」「動作」等により伝える。「プレーヤー」達は「進行役」によって伝えられた「事柄」を母国語に「辞書」等を用い「翻訳」をする。
「プレーヤー」達は「翻訳」した「文章」「単語」「絵」等を先に渡された「プレート」の「小枠」の中に同じ意味をなすものが無いか探す。「同じ意味をなすもの」が見つかったならば、その「小枠」を点線に沿って切る。ただし「小枠」の下の部分だけは点線を切り取らないでおく。プレートは「小枠」の部分のみ窓があいた状態になる。ゲームが進み「窓があいた小枠」が縦、横、斜め、いずれかが全てあいた場合、プレーヤーはゲームをあがることが出来る。ゲームが終了した時、プレーヤー達は未だ空けていない「小枠」をあける。プレートの「小枠」は全てあけられ「下の部分」だけがプレートにプレートと繋がった状態にある。そして、残された「下の部分」をプレートから切り離す。切り離した「小枠」を集め、「小枠」にあいていた「小穴」をプレートに付属されていたリングに通す。リングに通された「小枠」は単語帳として、再度学習に利用することが出来る。
ビンゴゲームの要領でゲームをして勉強と言うものを楽しむ。また、辞書などを使う事になるため、調べる能力が身につく。さらに、単語帳として活用することにより繰り返し勉強することで、学習した事柄をより良く暗記することが出来る。
【実施例】
【０００７】
以下、添削図面に従って一実施例を説明する。
【図面の簡単な説明】
【０００８】
【図１】本考案のゲームを行う本体プレートである。
【図２】本体を裏面から見た状態であり、小枠をあけた時の図である。
【図３】本体から切り離した小枠を単語帳として活用した時の図である。
【符号の説明】
【０００９】
1  プレート本体
2  小枠
3  切り取り線
4  小穴
5  下部の切り取り線
6  リング
7  リングを通すための小穴
【図１】
0003113770.tif 000003
【図２】
0003113770.tif 000004
【図３】
0003113770.tif 000005
【手続補正書】
【提出日】平成17年6月29日(2005.6.29)
【手続補正１】
【補正対象書類名】実用新案登録請求の範囲
【補正対象項目名】全文
【補正方法】変更
【補正の内容】
【実用新案登録請求の範囲】
【請求項１】
・小枠を切り取り線に沿って切り抜く
・プレートの小枠をプレートから全て切り離す
・小枠の下部に空いている小穴にリングを通す
ことにより単語帳として活用出来る学習用ゲーム装置
(57)【要約】      （修正有）【課題】中央に穴の開いたカード２枚、穴のあいたトランプ、ボルト、ナットを使うものであり、カード、トランプ、カードの順に重ね、それらの穴にボルトを通して、ナットで固定するが、中央のトランプがボルトを貫通して抜けたように見える道具で、その道具を第三者に手渡しても、仕掛けを悟られないものを提供する。【解決手段】大きい穴の開いたカード１と小さい穴の開いたカード２の間に、穴の開いたトランプを挟んでボルトとナットで固定するが、小さい穴の開いたカード２側からボルトを通すと、カードとトランプは、固定される、反対に、大きい穴の開いたカード１側からボルトを通すと、ボルトでカードを固定できないため、カードを抜き取ることが可能となる。【選択図】図１
0003113768.tif 000002
【実用新案登録請求の範囲】
【請求項１】
２枚の穴あきカード、１組のボルトとナット、１枚の穴あきのトランプで構成され、１枚のカードの中央部分にはボルトの頭より極わずか大きい穴が開いており、もう１枚のカードの中央部分にはボルトの頭より極わずか小さい穴が開いている道具で構成され、ボルトをトランプが貫通したように見せる手品道具。
【考案の詳細な説明】
【技術分野】
【０００１】
本考案は、中央に穴の開いたカード２枚、穴のあいたトランプ、ボルト、ナットを使うものであり、カード、  トランプ、  カードの順に重ね、それらの穴にボルトを通して、ナットで固定するが、中央のトランプがボルトを貫通して抜けたように見える道具を提供するものである。
【背景技術】
【０００２】
本考案では、ボルトをトランプが貫通したように見せる道具であり、その道具を第三者に手渡しても、仕掛けを悟られないものを提供するものである。
【考案の開示】
【課題を解決するための手段】
【０００３】
大きい穴の開いたカード１と小さい穴の開いたカード２の間に、穴の開いたトランプを挟んでボルトとナットで固定するが、図１の様に、小さい穴の開いたカード２側からボルトを通すと、カードとトランプは、ボルトとナットで固定される、反対に、図２の様に、大きい穴の開いたカード１側からボルトを通すと、ボルトとナットでカードを固定できないため、カードを抜き取ることが可能となる。
【考案の効果】
【０００４】
大きい穴の開いたカード１と小さい穴の開いたカード２の穴の直径差が小さい為、２枚のカードが同一のものだと誤認させることが出来、すべての道具を第三者に手渡しても、仕掛けを悟られにくい。
【図面の簡単な説明】
【０００５】
【図１】「本考案の断面図である。」
【図２】「本考案の使用状態をを示した断面図である。
【符号の説明】
【０００６】
１  大きい穴の開いたカード
２  小さい穴の開いたカード
３   穴の開いたトランプ
４  ボルト
５  ナット
【図１】
0003113768.tif 000003
【図２】
0003113768.tif 000004
(57)【要約】      （修正有）【課題】顔、頭、手を濡らさず、身体もムレず、外見もスマートでコンパクトに収納出来る自転車及び車椅子用レインピースを提供する。【解決手段】従来のワンピース型雨合羽の頭の部分の先に、顔を濡らさないフェースカバーを付け、透明なフェースカバーは上下し、額から耳の後ろまで軽いバネで固定する。そして従来のワンピース型雨合羽の身体の横の部分には、広がりをもたせた先にミトン型手袋をつけ、裾に折れない芯を入れ、膨らみをもたせる。又、全面の太ももの部分にマジックテープを付け、自転車のサドルに取り付ける。【選択図】図１
0003113764.tif 000002
【実用新案登録請求の範囲】
【請求項１】
雨合羽本体に、上下するフェイスカバーと手袋を合体させ、裾の部分に折れない芯を入れたワンピース型雨合羽。
【考案の詳細な説明】
【技術分野】
【０１】    本考案は、顔、頭、手、身体を濡らさず、尚かつムレない雨合羽に関する物である。
［背景技術］【０２】    従来の雨合羽は、つばのある雨合羽でも顔は濡れ、風圧で頭部のフードは飛び、手も濡れたままである。しかも風圧で身体に雨合羽がまとわりつき、暑い季節など外出するのがおっくうであった。
［考案の開示］
［考案が解決しようとす課題］【０３】    顔、頭、手を濡らさず、身体もムレず、外見もスマートでコンパクトに収納出来る物である。
［課題を解決するための手段］【０４】    本考案は、従来のワンピース型雨合羽の頭の部分の先に、顔を濡らさないフェースカバーを付け、透明なフェースカバーは上下し、額から耳の後ろまで軽いバネで固定する。そして従来のワンピース型雨合羽の身体の横の部分には、広がりをもたせた先にミトン型手袋をつけ、裾に折れない芯を入れ、膨らみをもたせる。又、全面の太ももの部分にマジックテープを付け、自転車のサドルに取り付ける。
［考案の効果］【０５】      この合体型雨合羽にすると、頭から身体全体を濡らさず、快適に外出する事ができる。暑い時でも、自転車のサドルに雨合羽がマジックテープで固定してあるので、身体の部分にスペースが開き風が入る。又、寒い冬では顔を覆うフェイスカバーと、手袋があるので防寒効果もある。
［考案を実施するための最良の形態］【０６】      本考案は、従来の雨合羽の欠点をカバーし顔が濡れないフェイスカバーと、手も濡れず、雨合羽の裾を広げて身体の間にスペースをとる事によって、不快なムレを感じない形にした。
［実施例］【０７】      以下、添付図面にしたがって一実施例を説明する。１は軽いバネで２のフェイスカバーと合体し、フェイスカバーは透明で、樹脂の中に光触媒を入れ、雨のしずくがつかず、流れ落ちる様にする。３、４は従来の雨合羽で、５は従来の雨合羽にミトンの手袋を付けた。６はマジックテープを付ける位置である。７は裾から風が入る様に、折れない芯を入れ、８は素手を出し入れするホールである。９は自転車、１０は車椅子である。
【図１】
0003113764.tif 000003
【図２】
0003113764.tif 000004
【図３】
0003113764.tif 000005
【図４】
0003113764.tif 000006
【図５】
0003113764.tif 000007
【図６】
0003113764.tif 000008
【手続補正書】
【提出日】平成17年6月22日(2005.6.22)
【手続補正１】
【補正対象書類名】明細書
【補正対象項目名】全文
【補正方法】変更
【補正の内容】
［書類名］      明細書
［考案の名称］  自転車及び車椅子用レインピース
［技術分野］
［０００１］
本考案は、顔、手、頭、身体を濡らさず、尚且つムレない雨合羽に関するものである。
［背景技術］
［０００２］
従来の雨合羽は、つばのある雨合羽でも、顔は濡れ、風圧で頭部のフードは飛び、手も濡れたままである。
しかも風圧で身体に雨合羽がまとわりつき、暑い季節など外出するのがおっくうであった。
［考案の開示］
［考案が解決しようとする課題］
［０００３］
顔、手、頭、を濡らさず、身体もムレず、外見もスマートに収納できるものである。
［課題を解決するための手段］
［０００４］
本考案は、従来のワンピース型雨合羽の頭部の額の部分に、雨よけの透明なフェースカバーをつけ、そのフェースカバーは上下し、額に軽いバネで固定する。
そして、従来のワンピース型雨合羽の身体の横の部分には広がりをもたせた先にミトン型手袋をつけ、裾に折れない芯を入れ、膨らみをもたせる。
又、全面の太ももの部分にマジックテープをつけ、自転車のサドルに取り付け風が入るようにする。
［考案の効果］
［０００５］
この合体型雨合羽にすると、頭から、身体全体を濡らさず、快適に外出する事ができる。
暑い時でも、自転車のサドルに雨合羽のマジックテープを固定すれば、身体の部分にスペースが開き、風が入る。
又、寒い冬では、顔を覆うフェースカバーと手袋があるので防寒効果もある。
［考案を実施するための最良の形態］
［０００６］
本考案は、従来の雨合羽の欠点をカバーし、顔が濡れないフェースカバーと、手も濡れない手袋がつき、雨合羽の裾を広げてからだの間にスペースをとる事によって、不快なムレを感じない形にした。
［実施例］
［０００７］
以下、添付図面にしたがって実施例を説明する。
１は軽いバネで、２のフェースカバーと合体し、フェースカバーは透明で、樹脂の中に光触媒を入れる事によって、雨のしずくが流れ落ちるようにする。
３、４は従来の雨合羽で、５は従来の雨合羽にミトン型の手袋をつけた。５はサドルにつけるマジックテープで、７は裾から風が入るように、折れない芯を入れる。
８は素手を出し入れするホールで、９は自転車、１０は車椅子である。
［産業上の利用可能性］
［０００８］
本考案は、従来の雨合羽に無い利点を多く取り入れた事によって、風雨に不快を感じず、尚かつ外出する事が楽しくなるような外見をかねそなえている。
［図面の簡単な説明］
［０００９］
図１    頭部と顔面の様子
図２    身体全体の様子
図３    自転車に乗った時、サドルにマジックテープで定した様子
図４    全体の横向きの様子
図５    自転車に乗った時の様子
図６    車椅子に乗った時の様子
［符号の説明］
［０００１０］
１ー風圧とフェースカバーを固定する為のバネ止め。
２ー透明なフェースカバーで上下する。
３ー雨合羽の頭部分。
４ー雨合羽の身体の部分。
５ー雨合羽の手の部分。
６ー自転車のサドルに取り付けるマジックテープ。
７ー身体や足にまとわりつかない様に、折れない芯をつける
８ー素手を出し入れする為のホール。
９ー自転車。
１０ー車椅子。
(57)【要約】【課題】本考案は灯油ポリ容器に給油バルブを設け、暖房機器のタンクへの給油を安易に行える様にする。【解決手段】本考案は灯油ポリ容器に本体１に給油バルブ４を設け、６の給油口から暖房機器のタンクへ給油する、又、給油バルブを灯油ポリ容器本体の外寸法内に収め７の開閉蓋を設けることでバルブ本体の破損を防止する。【選択図】図１
0003113761.tif 000002
【実用新案登録請求の範囲】
【請求項１】
灯油ポリ容器の下部をくぼませ、灯油ポリ容器の外寸法内に収まる様に脱着可能な給油バルブを設け、開閉式蓋でバルブの破損と灯油漏れを防止し、給油を快適・安易に行えるところを特徴とする給油バルブ付灯油ポリ容器。
【考案の詳細な説明】
【技術分野】
【０００１】  本考案は、灯油ポリ容器下部に取り外し可能な給油バルブを設けた、灯油ポリ容器である。
【背景技術】
【０００２】  灯油ポリ容器から暖房機器の燃料タンクへの給油はポンプを使って行っていた。
【考案の開示】
【考案が解決しようとする課題】
【０００３】  ポンプを使った給油では、ポンプ動作に労力がかかり、又、ポンプの管理も必要となり，且つ、ポンプを片付ける時ポンプ内に残った灯油がこぼれ、床や手が汚れ不快である。
【課題を解決するための手段】
【０００４】  本考案は、灯油ポリ容器下部に給油バルブを設け、本体を専用ラックに保管する事により、暖房機器のタンクを給油バルブの給油口下に置き、バルブのレバーを回すだけで灯油ポリ容器からタンクへの給油が出来る、ポンプが不要となり問題を解決している。
【考案の効果】
【０００５】  上述の様に、本考案の灯油ポリ容器は、下部の給油バルブを動作する事により，暖房機器のタンクへ直接給油できポンプが不要となる。それにより、ポンプの動作・管理が必要無くなり、給油作業が安易になる。更に、灯油の液垂れや手が灯油で汚れる不快感が減少する。
【考案を実施するための最良の形態】
【０００６】  灯油ポリ容器本体のバルブ取付部分は、灯油ポリ容器外寸法内に収まる様に本体をくぼませて形成し、バルブを隠す様に開閉蓋を設け、搬送時のバルブの破損を防ぎ、バルブと本体は取り外し可能とする。
【実施例】
【０００７】  以下、添付図面に従って一実施例を説明する。１は耐油性の素材にて一体化形成された灯油容器本体、２は灯油容器に給油するための給油口のキャップ、３は給油バルブ本体で８のネジ部で灯油容器本体に取り付け、４のネジ式栓にて給油の出止を調整する駆動部で５のレバーで操作し、６の給油口から排出する。【０００８】  ７は給油バルブの破損を防止する蓋で、９の爪で止める。
【図面の簡単な説明】
【０００９】
【図１】本考案の給油バルブ付灯油ポリ容器の実施例を示す正面断面図である。
【図２】本考案の給油バルブ付灯油ポリ容器の実施例を示す側面図である。
【符号の説明】
【００１０】１  灯油容器本体
２  キャップ
３  給油バルブ本体
４  給油調整ネジ式栓
５  レバー
６  給油口
７  蓋
８  バルブ取り付け部
９  爪
【図１】
0003113761.tif 000003
【図２】
0003113761.tif 000004
(57)【要約】【課題】  本考案は、メダル遊技機設置店内の床面に落下散乱したメダルを手動にて、容易且つスマートに回収することができるメダル回収器を提供する。【解決手段】  本考案のメダル回収器は、メダル貯留ボックス３の先端にメダルＭを掻き集める役目とするメダル引掻き部材１と、ハンドルに接続されたステンレスワイヤー６がハンドル杆１０の中を通りワイヤー通し穴１１を抜けメダル掻き回収蓋２の後部に取付けられ、ハンドル５を握り締めたり緩めたりする事で開閉するメダル掻き回収蓋２を設けた他、メダル貯留ボックス３の入口にメダル逆流防止部材４を設けたことでメダル掻き回収蓋２の開閉によって送り込まれたメダルが外部へ逆流する不具合が生じず、立ったまま手動によるハンドル操作でメダルを回収できるようにした。【選択図】図１
0003113769.tif 000002
【実用新案登録請求の範囲】
【請求項１】
メダル引掻き部材と、メダル掻き回収蓋を箱状のメダル貯留ボックス先端に設け、そのメダル貯留ボックス入口先端には傾斜を付けたメダル逆流防止部材を設けメダル掻き回収蓋によって搬送されたメダルが外部へ逆流することなくメダル貯留ボックスへ貯留されるメダル回収器。
【請求項２】
メダル掻き回収蓋後部にステンレスワイヤーを取付け、そのステンレスワイヤーの一方はハンドル杆に設けたワイヤー通し穴を通りレバー先端へ続いて接続し、そのレバーを引いたり緩めたりする事でメダル掻き回収蓋が開閉しメダルを搬送する特徴とする請求項１記載のメダル回収器。
【考案の詳細な説明】
【０００１】本考案は、メダル遊技機設置店内の床面に落下散乱したメダルを手動にて、容易且つスマートに回収することができるメダル回収器に関する。
【従来の技術および考案が解決しようとする課題】
【０００２】従来はスロットマシン等のメダル遊技機が設置された遊技店内では、床面に落下散乱したメダルを回収する場合、腰を屈めて１枚１枚メダルを手で拾っていたため、労力を要し、作業能率が悪い。
【０００３】本考案は、上記で述べた労力、作業能率の問題を解決するためのものであり、メダル遊技機設置店内の床面に落下散乱したメダルを容易且つスマートに回収することができるメダル回収器を提供することを目的とする。
【課題を解決するための手段】
【０００４】本考案のメダル回収器は、メダル引掻き部材によって、床面に落ちているメダルを掻き集め、レバーを握ったり緩めたりすることで開閉自在のメダル掻き回収蓋によって、メダル貯留ボックスへ搬送することができる。
メダル貯留ボックスの入口はメダルが入りやすいように金属薄板等で作成され、メダル貯留ボックスへ送られたメダルが逆流して外部へ流出する不具合が無いよう、傾斜を付けたメダル逆流防止部材とからなることを特徴としている。
【考案の実施形態】
【０００５】以下、本考案の実施形態につき図面を参照しながら述べる。
【０００６】図１は、本考案のメダル回収器の全体斜視図であり、図２ａ乃至ｃは、メダル回収作業の過程を順次に示す概略図である。
【０００７】本考案によるメダル回収作業は先ず、図１及び図２ａに示すように、メダル貯留ボックス３の先端に設けたメダル引掻き部材１によってメダルＭを掻き集めることから始まる。
【０００８】次に、レバー５を握り締めることによりステンレスワイヤー６が引き寄せられ、メダル貯留ボックス３を閉じていたメダル掻き回収蓋２が開き、レバー５を緩めることでバネ７及びバネ８による反動でメダル掻き回収蓋２が閉じつつメダルＭが搬送され、図２ｂに示すように傾斜を付けたメダル逆流防止部材４を越えて、メダルＭが図２ｃに示すように外部へ流出されることなくメダル貯留ボックス３へ貯留される。
【０００９】貯留されたメダルＭは、メダル貯留ボックス３に設けられたメダル取出し蓋９を開き最終的に手元にメダルＭが回収されるものである。
【００１０】また、請求項２記載のメダル回収器は、図１に示すようにレバー５の先端にステンレスワイヤー６が接続され、ハンドル杆１０の中を通りワイヤー通し穴１１から抜け出たステンレスワイヤー６は、メダル掻き回収蓋２の後部に取付けられ、握持部１２を持ちながらレバー５を握ったり緩めたりする事により床面に散乱したメダルＭを回収することが可能となる。
【００１１】これにより腰を屈めること無く、容易且つスマートに回収する事ができるようになる。
【考案の効果】
【００１２】本考案のメダル回収器を用いれば、メダル遊技機設置店内の床面に散乱しているメダルを容易且つスマートに回収することができる、したがって回収作業の労力を低減し店内の美観を保つ事ができる。
【図面の簡単な説明】
【００１３】
【図１】メダル回収器の全体斜視図である。
【図２】ａ乃至ｃはメダル回収作業の過程を順次に示す概略図である。
【符号の説明】
【００１４】１    メダル引掻き部材
２    メダル掻き回収蓋
３    メダル貯留ボックス
４    メダル逆流防止部材
５    レバー
６    ステンレスワイヤー
７    バネ
８    バネ
９    メダル取出し蓋
１０  ハンドル杆
１１  ワイヤー通し穴
１２  握持部
Ｋ    ツマミ
Ｍ    メダル
【図１】
0003113769.tif 000003
【図２】
0003113769.tif 000004
(57)【要約】      （修正有）【課題】空車スペースを離れた場所からでも分かるようにして、運転者がスムーズに空車スペースに駐車できるようにする。【解決手段】駐車場の各駐車スペース路面または近傍に設置したセンサーにより、車の有無を感知し、その情報を本体で処理して、該駐車スペース近傍に設置した表示器により空車情報を表示する。【選択図】図１
0003113763.tif 000002
【実用新案登録請求の範囲】
【請求項１】
駐車場の各駐車スペース路面または近傍に設置したセンサーにより、車の有無を感知し、その情報を本体で処理して、該駐車スペース近傍に設置した表示器により空車情報を表示する「駐車場の空車表示器」
【考案の詳細な説明】
【技術分野】
【０００１】
本考案は、駐車場内の空車スペースを示すための駐車場の空車表示器に関する。
【背景技術】
【０００２】
駐車場の空車表示に関しては、特許公開2000−206909「駐車場表示装置」のように、駐車場全体の満車／空車を表示するものがある。又、特許公開2002−175595「駐車場における車路誘導装置及びその車路誘導方法」のように各駐車スペースの空車を示し、誘導するものがあるが、大掛かりなシステムとなり、大きな費用が掛る上に工事が大変である。
【特許文献１】特許公開２０００−２０６９０９号公報
【特許文献２】特許公開２００２−１７５５９５号公報
【考案の開示】
【考案が解決しようとする課題】
【０００３】
混雑した大駐車場では、空車スペースを運転しながら探すのが難しい。誘導員がいたとしても、高所から見ないと空車スペースは分かりにくく、適切な誘導が出来ないのが現状である。誘導員がいない場合や、歯抜け状態に空車がある場合にはなお更見つけるのが困難である。そのような課題を解決するため、本考案は空車スペースを離れた場所からでも分かるようにして、運転者がスムーズに空車スペースに駐車できるようにするものである。
【課題を解決するための手段】
【０００４】
駐車スペースの車の有無をセンサー部で感知し、その信号を本体で処理して、各駐車スペース近傍に設置した表示部で空車を知らせるものである。
【考案の効果】
【０００５】
空スペースが簡単に見つけられてスムーズな駐車ができるため、混雑緩和につながると共に、安全向上が期待できる。駐車場内の誘導員が削減できるため、管理経費の節約につながる。簡単なシステムのため、安価でメンテナンスフリーである。工事も簡単であり、既設駐車場にも後から簡単に設置できる。
【考案を実施するための最良の形態】
【０００６】
各駐車スペースに車があるかどうかをセンサーによって感知し、その情報を本体で処理した後、駐車スペース近傍に設置した表示器で空車か否かを表示するものである。センサーは光センサー、赤外線、超音波など、種類を選ばずに利用できる。表示部には、昼間でも確認しやすく、消費電力が少ない高輝度の青色発光ダイオードが好ましい。また、本体その他は、車が踏んでも壊れないように耐圧製材料を使用する。
【実施例】
【０００７】
本体とセンサー部と表示部から構成される。
本体には充電式電池を内蔵し、表面に設けたソーラー電池によって充電される。本体とセンサー部、表示部はケーブルでつながれている。センサー部は光センサー、赤外線センサー、超音波センサー等によって車の有無を感知する。その信号は本体で処理されて表示部で表示する。
【０００８】
空スペースを知らせる意味から、表示は空車時に点灯する方が好ましいが、逆であってもよいし、色分け等によって空車／駐車の両方を表示させてもよい。
【０００９】
本実施例ではセンサー部を本体に設けているが、センサー部ではなく表示部を本体と一緒にしてもよいし、本体、センサー部、表示部それぞれ別々に設けてもよい。
超音波センサーや赤外線センサーを用いる場合には、センサー部は発信部と受信部から構成される。図２のようにセンサー部は本体および表示部との一体型とすることができる。その場合、駐車スペース近傍に設置するだけで足りる。工事がより簡単になる。
実施例では路面に穴をあけて本体を埋め込んで設置する。本体の路面突出量は出来るだけ少ないほうがよいが、駐車スペース中央に設置するため多少突出していても邪魔にはならない。
ケーブルは路面を溝掘りして埋め込み、接着剤で固定する。
【００１０】
実施例では、センサー、表示灯を路面に設置しているが、必ずしも路面に設置する必要はなく、駐車スペースの近傍であればよい。光センサーの場合は、路面に設置するのが一般的であるが、赤外線や超音波の場合は近傍の適当な位置に設ければよい。また、表示灯は離れた場所からでも確認できるように、車高よりも高いポールを立て、その先端部に設置する方法もある。
【図面の簡単な説明】
【００１１】
【図１】本考案の実施を示す実施様態図である。
【図２】本考案の一体型の実施を示す実施様態図である。
【図３】本考案の基本的な電子回路の一例を示す回路図である。
【符号の説明】
【００１２】
１：本体                  Tｒ：トランジスタ
２：センサー部            V ：電池
３：表示部                LED：発光ダイオード
４：ケーブル              Cds：硫化カドミウム（光感知素子）
５：車                    R：抵抗
６：路面                  VR：可変抵抗
７：信号                  C：コンデンサ
【図１】
0003113763.tif 000003
【図２】
0003113763.tif 000004
【図３】
0003113763.tif 000005
【手続補正書】
【提出日】平成17年6月16日(2005.6.16)
【手続補正１】
【補正対象書類名】実用新案登録請求の範囲
【補正対象項目名】全文
【補正方法】変更
【補正の内容】
【実用新案登録請求の範囲】
【請求項１】
駐車場の各駐車スペース路面または近傍に設置したセンサーによって車の有無を感知し、その情報をケーブルでつながれた本体の電子回路で処理し、その結果を電気信号によってケーブルでつながれた表示器に送り、該駐車スペースが空車であることを表示する駐車場の空車表示器。
(57)【要約】【課題】  厚みのある本等を手で押さえなくても開いたまま簡便に読める器具等がないため、見えやすく色々な厚さにも対応でき、持ち運びも簡単な、本等のページ押さえを実現する。【解決手段】  上辺を接着した２枚のビニールの下辺中央に面ファスナーを貼り、本等を開いた状態で２枚の間にはさんでから、そのまま維持できるようにするため、面ファスナーで２枚をくっつけて固定する。面ファスナーが２枚のビニールを接合しているためページがめくれず読むことが可能になる。また、ビニール類なので柔らかく丸めて持ち運ぶこともできるので便利である。【選択図】  図１
0003113767.tif 000002
【実用新案登録請求の範囲】
【請求項１】
上辺を接着した２枚のビニール類の内側の下辺中央に面ファスナーを貼り、２枚のビニール類の間に本等を開いた状態ではさみ固定して、面ファスナーを接合し使用する。２枚のうち、上の１枚は透明でなくてはならないが、下の１枚は透明でなくてもどちらでもよい。
【考案の詳細な説明】
【技術分野】
【０００１】
本考案は、本等を開いたままにしておくためのビニール製デスクマットに関するものである。
【背景技術】
【０００２】
デスクマットは従来、１、２枚程度の薄い紙等をはさむ器具であり、厚みのある本等をはさむものはない。
【０００３】
この改善策として、厚みのある本等に対応できるデスクマットを考案した。
【特許文献１】実開昭６１−１８６４７６  風が吹いてもページがめくれないブックカバー
【考案の開示】
【考案が解決しようとする課題】
【０００４】
厚みのある本等を手で押さえなくても開いたまま簡便に読める器具等がないため、見えやすく色々な厚さにも対応でき、持ち運びも簡単な、本等のページ押さえを実現する。
【課題を解決するための手段】
【０００５】
上辺を接着した２枚のビニールの下辺中央に面ファスナーを貼り、本等を開いた状態で２枚の間にはさんでから、そのまま維持できるようにするため、面ファスナーで２枚をくっつけて固定する。面ファスナーが２枚のビニールを接合しているためページがめくれず読むことが可能になる。ぺージをめくる時も、面ファスナー部分ごとビニールが開閉できるので、簡単である。
【考案の効果】
【０００６】
本等の全体が見えやすく、色々な厚さにも対応でき、また、丸められるので持ち運びも便利な、ページ押さえが可能なデスクマットが実現できる。
【考案を実施するための最良の形態】
【０００７】
本等の全体を見えやすくするために、上辺が接着された２枚のビニール類を使用する。上の１枚は透明のものを使用し、２枚の内側に面ファスナーを付け、本等をはさむ。面ファスナーが２枚のビニール類を固定するので、はさんだ本等のページがめくれない。
【実施例１】
【０００８】
図１は、本考案に本をはさんで使用した場合の平面図である。
【産業上の利用可能性】
【０００９】
屋外・屋内を問わず使用でき、手を使わず本等を開いたままで読んだり、楽器の演奏・料理・運動・作業等をしたりできる。本等をずっと押さえる必要がないため、手の不自由な人にも便利である。
【図面の簡単な説明】
【００１０】
【図１】面ファスナー付デスクマットの実施方法を示した平面図である。（実施例１）
【符号の説明】
【００１１】
１  上部の透明ビニール
２  下部のビニール（透明でなくてもよい）
３  面ファスナー
４  上辺の固着部
５  本
【図１】
0003113767.tif 000003
【手続補正書】
【提出日】平成17年7月5日(2005.7.5)
【手続補正１】
【補正対象書類名】明細書
【補正対象項目名】全文
【補正方法】変更
【補正の内容】
【考案の詳細な説明】
【技術分野】
【０００１】
本考案は、本等を開いたままにしておくためのビニール製デスクマットに関するものである。
【背景技術】
【０００２】
デスクマットは従来、１、２枚程度の薄い紙等をはさむ器具であり、厚みのある本等をはさむものはない。
【０００３】
この改善策として、厚みのある本等に対応できるデスクマットを考案した。
【特許文献１】実開昭６１−１８６４７６  風が吹いてもページがめくれないブックカバー
【考案の開示】
【考案が解決しようとする課題】
【０００４】
厚みのある本等を手で押さえなくても開いたまま簡便に読める器具等がないため、見えやすく色々な厚さにも対応でき、持ち運びも簡単な、本等のページ押さえを実現する。
【課題を解決するための手段】
【０００５】
上辺を接着した２枚のビニールの下辺中央に面ファスナーを貼り、本等を開いた状態で２枚の間にはさんでから、そのまま維持できるようにするため、面ファスナーで２枚をくっつけて固定する。面ファスナーが２枚のビニールを接合しているためページがめくれず読むことが可能になる。ぺージをめくる時も、面ファスナー部分ごとビニールが開閉できるので、簡単である。
【考案の効果】
【０００６】
本等の全体が見えやすく、色々な厚さにも対応でき、また、丸められるので持ち運びも便利な、ページ押さえが可能なデスクマットが実現できる。
【考案を実施するための最良の形態】
【０００７】
本等の全体を見えやすくするために、上辺が接着された２枚のビニール類を使用する。ビニールは２枚とも透明のものを使用し、２枚の内側に面ファスナーを付け、本等をはさむ。面ファスナーが２枚のビニール類を固定するので、はさんだ本等のページがめくれない。
【実施例１】
【０００８】
図１は、本考案に本をはさんで使用した場合の平面図である。
【産業上の利用可能性】
【０００９】
屋外・屋内を問わず使用でき、手を使わず本等を開いたままで読んだり、楽器の演奏・料理・運動・作業等をしたりできる。本等をずっと押さえる必要がないため、手の不自由な人にも便利である。
【図面の簡単な説明】
【００１０】
【図１】面ファスナー付デスクマットの実施方法を示した平面図である。（実施例１）
【符号の説明】
【００１１】
１  上部の透明ビニール
２  下部の透明ビニール
３  面ファスナー
４  上辺の固着部
５  本
【手続補正２】
【補正対象書類名】実用新案登録請求の範囲
【補正対象項目名】請求項１
【補正方法】変更
【補正の内容】
【請求項１】
上辺を接着した２枚の透明ビニールの内側の下辺中央に面ファスナーを貼り、２枚の透明ビニールの間に本等を開いた状態ではさんで固定し、面ファスナーを接合して使用することを特徴とする、面ファスナー付デスクマット。
(57)【要約】      （修正有）【課題】石造物を積雪から守る防雪カバーを提供する。【解決手段】石造物の上部より被せる円錐形状のカバー１で、そのカバーは透明な汎用プラスチックを素材とし、強風対策に石造物を縛るカバーと同素材の帯状の紐２が２箇所に付く事を特徴とする。【選択図】図１
0003113746.tif 000002
【実用新案登録請求の範囲】
【請求項１】
石造物の上部より被せる円錐形状のカバー（１）でそのカバーは透明の汎用プラスチックを素材とし、強風対策に石造物を縛る、カバーと同素材の帯状の紐が（２）付いたもの。
【考案の詳細な説明】
【技術分野】
【０００１】この考案は、石造物を積雪から防ぐ為のカバーに関するものである。
【背景技術】
【０００２】従来、降雪地域に於いても、適切な処置が取られていなかった。
【考案の開示】
【考案が解決しようとする課題】
【０００３】従来、石造物の積雪を防止するために適切な処置がとられていなかったので、石造物の積雪を防止する考案が課題であった。本考案は、これらの欠点を除くためになされたものである。
【課題を解決するための手段】
【０００４】積雪しないように、石造物を円錐形カバー（１）覆い、強風対策にカバーと同素材の帯状の紐が（２）付いたもの。
本考案は、以上のような構成よりなる防雪カバーである。
【考案の効果】
【０００５】本案は以上のような構成であるから、石造物の形を特定せず多方面に使用できる。
【考案を実施するための最良の形態】
【０００６】このカバーは降雪前に使用し、降雪が無くなったら外す。
【実施例】
【０００７】石灯篭の防雪カバー。【０００８】墓石の防雪カバー。【０００９】狛犬の防雪カバー。
【産業上の利用可能性】
【００１０】本案は以上のような構成であるから、屋外で降雪を避けたい物体の防雪カバーに使用できる。
【図面の簡単な説明】
【００１１】
【図１】防雪カバーの斜視図である。
【符号の説明】
【００１２】１  汎用プラスチックを素材とした透明カバー
２  カバーと同素材の帯状の紐
【図２】
石灯篭に防雪カバーを使用した透視図である。
【図１】
0003113746.tif 000003
【図２】
0003113746.tif 000004
【手続補正書】
【提出日】平成17年5月19日(2005.5.19)
【手続補正１】
【補正対象書類名】実用新案登録請求の範囲
【補正対象項目名】全文
【補正方法】変更
【補正の内容】
【実用新案登録請求の範囲】
【請求項１】
円錐形状のカバーと紐との組み合わせからなる石造物の防雪カバー。
【手続補正２】
【補正対象書類名】明細書
【補正対象項目名】全文
【補正方法】変更
【補正の内容】
【考案の詳細な説明】
【技術分野】
【０００１】この考案は、石造物を積雪から防ぐ為のカバーに関するものである。
【背景技術】
【０００２】従来、降雪地域に於いても、適切な処置が取られていなかった。
【考案の開示】
【考案が解決しようとする課題】
【０００３】従来、石造物の積雪を防止するために適切な処置がとられていなかったので、石造物の積雪を防止する考案が課題であった。本考案は、これらの欠点を除くためになされたものである。
【課題を解決するための手段】
【０００４】積雪しないように、石造物を円錐形カバー（１）で覆い、強風対策にカバーと同素材の帯状の紐が（２）付いた防雪カバーである。
【考案の効果】
【０００５】本案は円錐形状のカバーと紐との組み合わせからなる構成であるから、石造物の形を特定せず多方面に使用できる。
【考案を実施するための最良の形態】
【０００６】このカバーは降雪前に使用し、降雪が無くなったら外す。
【実施例】
【０００７】図１は例えば狛犬のような不特定の成形体の防雪カバー実施例図を示している。【０００８】図２は石灯篭の防雪カバー実施例図を示す。
【産業上の利用可能性】
【０００９】本案は円錐形状のカバーと紐との組み合わせからなる防雪カバーであるから、屋外で降雪を避けたい物体の防雪カバーに使用できる。
【図面の簡単な説明】
【００１０】
【図１】防雪カバーの斜視図である。
【図２】石灯篭に防雪カバーを使用した透視図である。
【符号の説明】
【００１１】１  汎用プラスチックを素材とした透明カバー。
２  カバーと同素材の帯状の紐。
(57)【要約】【課題】  本考案は、本体の口にヘラを付ける事によりウロコが飛び散るのを防ぐ。【解決手段】  本考案は従来のウロコ取りよりも、本体の口にヘラが付いているので、魚の尾の方から頭に向けて、削るようにする。その事により，ウロコが飛び散らず回りが汚れず掃除が楽になる。【選択図】  図２
0003113747.tif 000002
【実用新案登録請求の範囲】
【請求項１】
魚の型をした本体の口の部分にヘラをつけウロコが飛び散らないところを特徴とする。ウロコが飛び散らないウロコ取りウロコちゃん
【考案の詳細な説明】
【技術分野】
【０００１】  本考案は、魚の型をした本体の口の部分にヘラをつけ、ウロコが飛び散らない，ウロコ取りに関するものである。
【背景技術】
【０００２】  台所等で、ウロコを取る場合、回りにウロコが飛び散っていた。
【考案の開示】
【考案が解決しようとする課題】
【０００３】  ウロコが飛び散ると、床、しんく回り、顔、衣服、に飛び散る，それを防ぐもの。
【課題を解決しようとするための手段】
【０００４】  本考案は、ウロコが飛び散らないために魚の型をした、本体の口にヘラをつける又、わき腹に丸みをつけたエラを付ける事により、スベリ止めの防止にもなります。
魚の口にヘラをつける事により、ウロコが飛び散るのを解決している。
【考案の効果】
【０００５】  上述の様に、本考案のウロコ取りは、ウロコが飛び散るのが、嫌だと言う人が多く、このウロコ取りを使う事により、従来のウロコ取りよりも、魚が扱いやすくなる。
【考案の実施するための最良の形態】
【０００６】  本考案のウロコ取りは、魚の口にヘラがついているので、魚の尾の方より頭に向けて、ウロコを、削るようにする。その作業により、従来のウロコ取りよりも、ウロコが飛び散らず、しんく回りが汚れず、掃除が楽になる。
【実施例】
【０００７】  以下、添付図面に従って、一実施例を説明する。１は、耐久性のプラスチックス等適宣素材にて一体化形成されたウロコ取り本体である。
２は、ウロコが飛び散らない為の、本体の口部分にヘラを付ける。
３は、本体の胴にエラを付ける事によりスベリ止めになる。【０００８】  本考案の一実施例は、上述の如き構成からなるものであるから、本体の口の部分にヘラを付ける事により、従来のウロコ取りよりもウロコが、回りに飛び散らない、魚のウロコを取る作業がし易くなり、しんく回りの掃除が楽になる。
【図面の簡単な説明】
【０００９】
【図１】    本考案のウロコが飛び散らないウロコ取りウロコちゃんの正面図である。
【図２】    ウロコ取りの一部切欠断面図である。
【符号の説明】
【００１０】  １ウロコ取り本体
２ウロコを取るためのヘラ
３スベリ止めのエラ
【図１】
0003113747.tif 000003
【図２】
0003113747.tif 000004
【手続補正書】
【提出日】平成17年6月8日(2005.6.8)
【手続補正１】
【補正対象書類名】実用新案登録請求の範囲
【補正対象項目名】全文
【補正方法】変更
【補正の内容】
【実用新案登録請求の範囲】
【請求項１】
魚の型をした本体の口の部分にヘラをつけ、ウロコが飛び散らないようにしたことを特徴とするウロコ取り。